(57)【特許請求の範囲】
【請求項１】
車両の検査ラインにおいて複数のアクセスポイントを介して行われる車両診断装置と管理装置との通信におけるアクセスポイントの切替方法であって、前記車両毎に車両診断装置が設けられ、この車両診断装置のＲＯＭには検査ラインで行われる車両の検査プログラムが格納され、この検査プログラムは車両に対する検査項目をシーケンスで記述し、検査項目のシーケンスの間にアクセスポイントを切り替えるための記述がなされていることを特徴とする車両診断におけるアクセスポイントの切替方法。
【請求項２】
請求項１に記載の車両診断におけるアクセスポイントの切替方法において、前記アクセスポイントの切替えは、前記車両診断装置と前記管理装置との間で通信が必要とされない時期に行われることを特徴とする車両診断におけるアクセスポイントの切替方法。
【発明の詳細な説明】
【技術分野】
【０００１】
本発明は、車両の検査ラインにおける車両診断装置と管理装置（ホストコンピュータ）との通信時のアクセスポイントの切替方法に関する。
【背景技術】
【０００２】
自動車の生産ラインにおける車両診断装置とホストコンピュータとの通信は、ホストコンピュータに接続された複数の中継器（アクセスポイント）を介して行われるが、常時通信している必要はなく、必要なタイミングで通信すれば十分であるため、アクセスポイントの切替えが行われている。
【０００３】
そこで、アクセスポイントの切替方法としては、組み立てられる車体を搬送する移動車に設けられた通信装置が何処のアクセスポイントと通信するかの判断を、通信装置とアクセスポイントとの間の電波の強弱によって行う方法（ローミング）が特許文献１に開示されている。
【先行技術文献】
【特許文献】
【０００４】
【特許文献１】特許第３６０１７６８号公報
【発明の概要】
【発明が解決しようとする課題】
【０００５】
しかし、特許文献１に記載の発明においては、生産工場などの屋内では電波の強弱がまちまちであるため、ローミングではアクセスポイントの切替えに失敗し、通信不能となる虞がある。そこで、任意のタイミングで強制的にアクセスポイントの切替えを行うことも考えられるが、切替えのタイミング毎にトリガー装置を設置しなければならず、設備が煩雑になるという問題がある。
【０００６】
本発明は、従来の技術が有するこのような問題点に鑑みてなされたものであり、その目的とするところは、任意の場所で安定したアクセスポイントの切替えが行える車両診断におけるアクセスポイントの切替方法を提供しようとするものである。
【課題を解決するための手段】
【０００７】
上記課題を解決すべく本発明は、車両の検査ラインにおいて複数のアクセスポイントを介して行われる車両診断装置と管理装置との通信におけるアクセスポイントの切替方法であって、アクセスポイントの切替えは、前記車両診断装置に格納された検査項目に応じて行われるものである。
【０００８】
また、前記アクセスポイントの切替えは、前記車両診断装置と前記管理装置との間で通信が必要とされない時期に行うことができる。
【発明の効果】
【０００９】
本発明によれば、検査項目を記載した車両診断装置の検査プログラムの変更によって、概ね任意の場所でアクセスポイントの切替えができるので、安定した環境で通信を行うことができる。
【００１０】
また、アクセスポイントの切替えを、車両診断装置と管理装置との間で通信が必要とされない時期に行えば、アクセスポイントの切替えを円滑に行うことができる。
【図面の簡単な説明】
【００１１】
【図１】本発明に係る車両診断におけるアクセスポイントの切替方法を実施する装置の構成図
【図２】本発明に係る車両診断におけるアクセスポイントの切替方法の説明図
【発明を実施するための形態】
【００１２】
以下に本発明の実施の形態を添付図面に基づいて説明する。本発明に係る車両診断におけるアクセスポイントの切替方法を実施する装置は、図１に示すように、車両１に設置される制御装置２と、車両１に搭載されて車両１の制御装置２と接続される車両診断装置３と、車両診断装置３と無線通信を行う複数のアクセスポイントＡＰ１，ＡＰ２，ＡＰ３，…と、複数のアクセスポイントＡＰ１，ＡＰ２，ＡＰ３，…に無線または有線で接続される管理装置（ホストコンピュータ）５からなる。
【００１３】
制御装置２は、不図示のＣＰＵ、ＲＯＭ、ＲＡＭ、Ａ／Ｄ変換器やインタフェースなどの電子部品により構成され、制御装置２のインタフェースには各種のアクチュエータ、各種のスイッチ、各種の表示灯や各種のセンサなどが接続されている。制御装置２は、車両１のエンジンや各種ランプの点灯などを制御している。
【００１４】
車両診断装置３は、不図示のＣＰＵ、ＲＯＭ、ＲＡＭ、送受信部、通信インタフェースや電源部などにより構成されている。このほか、車両診断装置３には、作業者による指示内容を入力するキーボード、診断結果などを表示する表示パネルやバーコードリーダなどが設けられている。
【００１５】
そして、車両診断装置３のＲＯＭには、検査ラインで行われる車両１の検査プログラムが格納されている。検査プログラムは、車両１に対する検査項目をシーケンスで記述し、検査項目の間にコマンドの一つとしてアクセスポイントを切替えるための記述が所望な順番に記載されている。
【００１６】
アクセスポイントの切替えは、検査作業において車両診断装置３とホストコンピュータ５間の通信が必要なタイミングを避けて行うのが好ましい。例えば、アクセスポイントＡＰ１からアクセスポイントＡＰ２への切替えはパワーステアリング検査終了後に行ったり、アクセスポイントＡＰ２からアクセスポイントＡＰ３への切替えは回転ドラムによる走行試験で車速が３０ｋｍ以上になった時に行ったりすることができる。
【００１７】
アクセスポイントＡＰ１，ＡＰ２，ＡＰ３，…は、送受信部６などを備え、送受信部６は車両診断装置３の送受信部と無線通信を行い、各種情報のやり取りを行う。ホストコンピュータ５からの指示内容がアクセスポイントＡＰ１，ＡＰ２，ＡＰ３，…を介して車両診断装置３に送信され、車両診断装置３による車両１の診断結果がアクセスポイントＡＰ１，ＡＰ２，ＡＰ３，…を介してホストコンピュータ５に送信される。
【００１８】
以上のように構成された装置による本発明に係る車両診断におけるアクセスポイントの切替方法について説明する。検査ラインＥは、図２に示すように、検査工程Ｅ１〜検査工程Ｅ６により構成され、矢印Ａ方向にコンベア１０により搬送されてくる完成した車両１に対し、検査が自動または手動により車両診断装置３に格納されている検査プログラムに基づいて行われる。
【００１９】
検査工程Ｅ１から検査工程Ｅ３においては、アクセスポイントＡＰ１を介して車両診断装置３とホストコンピュータ５が無線通信可能になり、検査工程Ｅ４と検査工程Ｅ５においては、アクセスポイントＡＰ２を介して車両診断装置３とホストコンピュータ５が無線通信可能になり、検査工程Ｅ６においてはアクセスポイントＡＰ３を介して車両診断装置３とホストコンピュータ５が無線通信可能になる。
【００２０】
先ず、検査工程Ｅ１において、車両診断装置３を車両１に搭載し、車両診断装置３を車両１の制御装置２に電気的に接続する。次いで、検査工程Ｅ２において、電装部品が仕様通り車両１に装着されているか否か検査プログラムに基づいて照合する。その照合結果は、車両診断装置３からアクセスポイントＡＰ１を介してホストコンピュータ５へ送信される。
【００２１】
次いで、検査工程Ｅ３において、検査プログラムに基づきパワーステアリングの検査が作業者によるハンドル操作によって行われる。このパワーステアリング検査の終了後に、検査プログラムに基づきアクセスポイントがアクセスポイントＡＰ１からアクセスポイントＡＰ２へ切替わる。
【００２２】
次いで、検査工程Ｅ４において、検査プログラムに基づきラジオ電波などを捉えることができる否かのオーディオ機能検査が行われる。このオーディオ機能の検査結果は、車両診断装置３からアクセスポイントＡＰ２を介してホストコンピュータ５へ送信される。
【００２３】
次いで、検査工程Ｅ５において、検査プログラムに基づき回転ドラムによる走行試験が行われる。この走行試験において、車速が３０ｋｍ以上になった時に、検査プログラムに基づきアクセスポイントがアクセスポイントＡＰ２からアクセスポイントＡＰ３へ切替わる。
【００２４】
次いで、検査工程Ｅ６において、検査ラインＥにおける検査結果が車両診断装置３からアクセスポイントＡＰ３を介してホストコンピュータ５へ送信される。
【００２５】
アクセスポイントを切替えるタイミングとしては、他に水温が設定値以上又は以下になった時、エンジンの回転数が設定値以上又は以下になった時、スマートスイッチの検査完了時、ドア・トランクの開閉検査後、作業者が車両診断装置３に入力した時や作業者がブレーキ操作をした時など、検査ラインＥにおいて車両診断装置３とホストコンピュータ５間の通信が必要とされないタイミングである。
【産業上の利用可能性】
【００２６】
本発明によれば、検査項目を記載した車両診断装置の検査プログラムの変更により、通信を必要としない任意の場所でアクセスポイントの切替えができるので、安定した環境で通信を行うことが可能なアクセスポイントの切替方法を提供することができる。
【符号の説明】
【００２７】
１…車両、２…制御装置、３…車両診断装置、５…ホストコンピュータ（管理装置）、６…送受信器、ＡＰ１，ＡＰ２，ＡＰ３…アクセスポイント、Ｅ…検査ライン。
【図１】
0005419649.tif 000002
【図２】
0005419649.tif 000003